(57)【要約】【課題】電子黒板装置や情報処理システムにおいて、その制御及び処理データの記録を容易に行えることを目的としており、特に、操作ボタンや送付先の入力作業なしに、その制御及び処理データの記録を行えることを目的とする。【解決手段】本発明は、画像データを外部情報記録装置に送信する情報処理システムであって、前記画像データの保存先データが記録されたＩＣカードと、このＩＣカードの前記保存先データを読み取るＩＣカードリーダと、このＩＣカードリーダからの出力によって、前記画像データを前記情報記録装置の前記保存先に送信する情報処理装置とを有することを特徴としている。【選択図】    図２
2015192249.tif 000002
【特許請求の範囲】
【請求項１】
画像データを情報記録装置に送信する情報処理システムであって、前記画像データの保存先データが記録されたＩＣカードと、このＩＣカードの前記保存先データを読み取るＩＣカードリーダと、このＩＣカードリーダからの出力によって、前記画像データを前記情報記録装置の前記保存先に送信する情報処理装置とを有することを特徴とする情報処理システム。
【請求項２】
画像データの処理を行うと共に、処理後のデータを情報記録装置に送信する情報処理システムであって、利用者の認証を行う認証用データと前記画像データの保存先データが記録されたＩＣカードと、このＩＣカードの前記認証用データ及び保存先データを読み取るＩＣカードリーダと、このＩＣカードリーダからの出力によって、画像データの処理を行う情報処理装置と、この情報処理装置によって処理されたデータを、前記情報記録装置の前記保存先に送信するネットワーク部とを有することを特徴とする情報処理システム。
【請求項３】
筆記面と、この筆記面に筆記された筆記画像を読み取り、この読み取った筆記画像データを情報記録装置に送信する電子黒板装置であって、利用者の認証を行う認証用データと前記画像データの保存先データが記録されたＩＣカードと、このＩＣカードの前記認証用データ及び保存先データを読み取るＩＣカードリーダと、このＩＣカードリーダからの出力によって、前記筆記画像の読み取を行う情報処理装置と、この情報処理装置によって読み取られたデータを、前記情報記録装置の前記保存先に送信するネットワーク部とを有することを特徴とする電子黒板装置。
【請求項４】
前記情報記録装置はＦＴＰサーバーであることを特徴とする請求項２項記載の情報処理システム。
【請求項５】
前記ＩＣカード手段は、近距離無線通信機能を有することを特徴とする請求項２項記載の情報処理システム。
【請求項６】
前記情報記録装置は複数台で構成され、前記ＩＣカード手段は、これらの複数台の中の１つの情報記録装置の任意のアドレスを記録可能であることを特徴とする請求項２項記載の情報処理システム。
【発明の詳細な説明】
【技術分野】
【０００１】
本発明は、情報処理システム、例えば電子黒板装置等であって、特にネットワークに接続され、複数のデータ記録部にデータを送信可能な情報処理装置に関するものである。
【背景技術】
【０００２】
電子黒板装置は、白色の筆記面に、マーカーで文字や図形を筆記すると共に、この筆記した表面を光学センサーにて画像情報として読み取り、読み取った画像情報を縮小して紙に印刷し、或いは記録する機能を有することを特徴としている。
【０００３】
特開２００６−２０９７３６号には、電子黒板装置をネットワークに接続し、電子黒板装置でスキャンした画像データを記憶装置に記録すると共に、権限が与えられたユーザーにのみ、記録された画像データの閲覧を認める文書管理装置が示されている。
また、特開２０００−４３２１号には、電子黒板装置をネットワークに接続し、筆記画像データを指定した送り先アドレスに、メール送信する技術が示されている。
【０００４】
【特許文献１】特開２００６−２０９７３６号
【特許文献２】特開２０００−４３２１号
【発明の開示】
【発明が解決しようとする課題】
【０００５】
特許文献１の文書管理装置においては、画像データ毎に、その閲覧を認めるための権限付与ユニットや会議室予約システムを用いるものであり、非常に複雑で高価な装置となってしまう。
また特許文献２の電子黒板装置においても、画像データ毎に送信先を指定しなければならず、複雑で面倒な操作をユーザーに強いることとなる。
【０００６】
本発明においては、このような問題を解決するために、ＩＣカードを用い、このＩＣカード毎にデータの送信先を記録することで、このＩＣカードによって情報処理を開始すると共に、処理後のデータをそのＩＣカードに記録された送信先に自動的に送信することによって、情報処理装置の操作、及び処理データの管理を極めて容易に行うことを可能とするものである。
【課題を解決するための手段】
【０００７】
上記課題を解決するため、本発明は、請求項１に記載するように、画像データを情報記録装置に送信する情報処理システムであって、前記画像データの保存先データが記録されたＩＣカードと、このＩＣカードの前記保存先データを読み取るＩＣカードリーダと、このＩＣカードリーダからの出力によって、前記画像データを前記情報記録装置の前記保存先に送信する情報処理装置とを有することを特徴としている。
また、請求項２に記載するように、画像データの処理を行うと共に、処理後のデータを情報記録装置に送信する情報処理システムであって、利用者の認証を行う認証用データと前記画像データの保存先データが記録されたＩＣカードと、このＩＣカードの前記認証用データ及び保存先データを読み取るＩＣカードリーダと、このＩＣカードリーダからの出力によって、画像データの処理を行う情報処理装置と、この情報処理装置によって処理されたデータを、前記情報記録装置の前記保存先に送信するネットワーク部とを有することを特徴としている。
【０００８】
また、請求項３に記載するように、筆記面と、この筆記面に筆記された筆記画像を読み取り、この読み取った筆記画像データを情報記録装置に送信する電子黒板装置であって、利用者の認証を行う認証用データと前記画像データの保存先データが記録されたＩＣカードと、このＩＣカードの前記認証用データ及び保存先データを読み取るＩＣカードリーダと、このＩＣカードリーダからの出力によって、前記筆記画像の読み取を行う情報処理装置と、この情報処理装置によって読み取られたデータを、前記情報記録装置の前記保存先に送信するネットワーク部とを有することを特徴としている。
【０００９】
更に請求項４に示すように、前記情報記録装置はＦＴＰサーバーであることを特徴としている。
また、請求項５に記載するように、前記ＩＣカード手段は、近距離無線通信機能を有することを特徴としている。
また、請求項６に記載するように、前記情報記録装置は複数台で構成され、前記ＩＣカード手段は、これらの複数台の中の１つの情報記録装置の任意のアドレスを記録可能であることを特徴としている。
【発明の効果】
【００１０】
本発明によれば、ＩＣカードを用いることで、簡単に画像情報の処理、及びデータの送信を行うことが可能となり、利便性が向上する。
また、電子黒板装置等が複数の場所に設置してある場合であっても、同じＩＣカードを用いることで、同じ場所の情報記録装置の所定のアドレスにデータを送信、記録することが可能となり、利便性が向上する。
【発明を実施するための最良の形態】
【００１１】
以下、本発明を実施するための最良の形態について、図面を参照して詳細に説明する。
【実施例】
【００１２】
以下、図に沿って本発明の一実施例として、電子黒板装置について説明する。
図１は本発明の一実施例のシステムを説明するための概念図である。
１はネットワーク接続機能を有する電子黒板装置であり、２はこの電子黒板装置の筆記面、３は非接触でＩＣカードの記録データを読み取るＩＣカードリーダー、４は近距離無線通信機能を有するＩＣカード、５は手動で筆記面の読み込みやデータ送信、印刷などの操作を行う操作パネル、６は筆記面の読取や、読み取った筆記画像データの記録やネットワークへの送信などの処理を行う情報処理装置である。
【００１３】
７は電子黒板装置の筆記情報を記録するための情報記録装置であり、複数台が、電子黒板装置１とＬＡＮ回線でネットワーク接続されている。８は電子黒板装置１とＬＡＮ回線でネットワーク接続された他のパソコンである。
電子黒板装置１には、読み取った筆記画像データを記録、保存しておく記憶媒体（以下メモリ部という。）を有すると共に、ネットワーク接続された複数の情報記録装置７にアクセスすることによって、この情報記録装置７の所定のＵＲＬアドレスにデータを記録する。
この情報記録装置７に記録された筆記画像データは、他のパソコン８によって、ＵＲＬアドレスを指定して読み出される。
【００１４】
情報処理装置６の構成を図２に示す。
情報処理装置６は、ＩＣカード４がＩＣカードリーダー３に所定の距離だけ接近した場合に、このＩＣカード４に記録されたデータを読み出すＩＣカードリーダー３、電子黒板装置の諸機能を制御する制御部１０、筆記面に筆記された画像を読み取り装置で読み込むスキャン処理部１１、筆記画像データを記録するメモリ部１２、及び筆記画像データを情報記録装置に送信するネットワーク部１３より構成される。
【００１５】
ＩＣカード４を、ＩＣカードリーダー３にかざすと、ＩＣカードリーダー３は、ＩＣカード４に電磁誘導によって電力を供給し、ＩＣカード４とＩＣカードリーダー３とで無線通信が開始される。
無線通信が開始されると、ＩＣカード４に記録された認証データ及び送信先アドレスデータがＩＣカードリーダー３に読み取られ、認証が行われる。
正しい認証番号であることが確認された場合、ＩＣカードリーダー３は制御部１０にスキャン開始信号を出力する。
制御部１０は、スキャン開始信号に基づいて、スキャン処理部１１にスキャン制御信号を出力すると共に、筆記シートを移送する。
スキャン処理部１１では、読取装置が筆記シートの移送に応じて、この筆記シート面を走査し筆記画像を読み取る。
【００１６】
このスキャン部１１は、照明装置と読取装置からなる。
読取装置は、光源及び導光体からなる照明装置と、光センサー素子が縦方向に配置された光センサーブロックを３つ縦方向に配置した光センサーアレイからなっている。各光センサーブロックのそれぞれの出力は、アナログスイッチに接続されている。
そして、３つの光センサーブロックに接続された、３つのアナログスイッチの出力が制御部１０に接続されている。
一方照明装置の光源は、ＬＥＤドライバーに接続されている。
【００１７】
照明装置の光源には、赤色発光ＬＥＤ、青色発光ＬＥＤ、及び緑色発光ＬＥＤが配置されており、これらの各ＬＥＤは、ＬＥＤドライバーによって、交互に発光させられ、その光が導光体に入射され、この導光体に隣接して配置された筆記面２は縦方向短冊状に均一に照らされる。
この照明装置によって均一に照らされた筆記面上の筆記は、ここに隣接して配置された光センサーアレイの夫々の光センサー素子で読み取られる。
上述の、ＩＣカード４の認証がされた場合、上記の筆記面２が移送され、その移送に同期して、筆記面２上の筆記が前述の読取装置によって順次読み取られる。
筆記面一面分の読み取りが完了すると、筆記面２の移送は停止する。
【００１８】
読み取られたアナログの筆記画像出力は、前述の読取装置に設けられた赤色、青色、緑色の各ＬＥＤの点灯に同期して、発光色毎に順次、アナログ・デジタル変換手段でデジタル化される。尚アナログ出力は、白色での反射時に最高２．５ボルトとなる信号である。
このデジタル化された読取データは、メモリ部１２に転送され記録されると共に、ネットワーク部１３を介して情報記録装置７に送信される。
尚、通常の電子黒板装置の場合は、縦２０００＊横３０００の読取データが作成される。
【００１９】
尚、情報記録装置７はＦＴＰサーバであり、ＩＣカードに記録されたＵＲＬのアドレスで指定された領域毎に、筆記画像データが記録される。
この筆記画像データの利用者は、ＵＲＬアドレスを指定することによって、記録された画像データを見ることが可能となる。
【００２０】
この認証用データ及び、送信先のＵＲＬアドレスは、暗号化されてＩＣカードに記録されている。このため、ＩＣカードリーダー３には暗号のデコーダが内臓されている。このように、認証用データ及び送信先のＵＲＬのアドレスが暗号化されているため、例えばＩＣカード４が盗難にあった場合であっても、認証用データ及び、送信先のＵＲＬアドレスの解読は不可能であり、筆記画像データの安全性が確保される。
また、ＩＣカード４をかざすだけで、所定の保存先に画像データを送信し記録できるため、誤って間違った場所に送信することはない。
また、ＩＣカード４で送信先が決定されるため、複数の場所に設置された電子黒板装置を利用しても、その筆記画像データは、常に所定の場所の情報記録装置の所定のＵＲＬアドレスに送信し記録することが可能となる。
【００２１】
尚、ＩＣカード４を持たない利用者のために、図３に示すような操作パネル５も設けられている。
この操作パネル５に設けられたテンキー１４によって、送信先認証番号を入力することにより、認証を行い、メモリ部１２に記録された送信先アドレスにデータを送信し、記録する。
また、この操作パネル５に設けられた操作ボタン１５を操作することにより、図示しないモーターが駆動され、筆記面２は移送されると共に、電子黒板装置１の側面に配置された読取装置によって、筆記面の筆記画像が読み取られる。
印刷用の操作ボタン１５であるネットプリンタ１５、及び本体プリンタボタン１５を操作した場合は、読み取られた読取データは、出力インタフェースから、図示しないプリンタに送られＡ４サイズの用紙に印刷される。
また、着脱式のＵＳＢメモリへの記録用の操作ボタン１５である保存ボタン１５を操作した場合は、出力インタフェースから、図示しないＵＳＢメモリへ、前記画像処理された読取データが転送され記録される。
また、ネットボタンを押して、保存先のアドレスを入力した場合は、ネットワークを介して、情報記録装置７に画像データが送信される。
【００２２】
尚、図示しないが、この電子黒板装置１の出力インターフェース１６には、プリンタ接続用の接続端子、パソコン接続用の接続端子を設けてもよい。
【００２３】
本発明は、上記の実施例に限定されるものではなく、例えば、情報記録装置は、パーソナルコンピュータやファイルサーバの共有エリアでもよい。また、ＩＣカードの送信先データは任意のアドレスを記録することができるものであり、例えば、メールの自動送信先を記録してもよい。
また、上記実施例では筆記面を移送可能な筆記面としたが、電子ペンを用いたインタラクティブボードのシステムであってもよい。
【産業上の利用可能性】
【００２４】
本発明は、会社の会議室や公共施設のホールなどで利用される情報処理装置、或いは学校の教室などで利用される情報処理装置として用いることが可能となる。
【図面の簡単な説明】
【００２５】
【図１】図１は、本発明の実施例のシステム構成を示す図である。
【図２】図２は、本発明の実施例の制御装置を示すブロック図である。
【図３】図３は、本発明の実施例の操作パネルの一部を示す正面図である。
【符号の説明】
【００２６】
１：電子黒板装置
３：ＩＣカードリーダー
４：ＩＣカード
６：情報処理装置
７：情報記録装置
【図１】
2015192249.tif 000003
【図２】
2015192249.tif 000004
【図３】
2015192249.tif 000005